(57)【要約】【課題】ハンドルを備えた遊技機において、ハンドル内部への異物の侵入を抑制し、もって異物の侵入による不具合を防止する。【解決手段】パチンコ機本体の下部には遊技球発射装置Ｕが設けられ、該発射装置Ｕは遊技者によって操作されるハンドル２１を備えている。ハンドル２１は、パチンコ機本体の下部に固定されるハンドル本体２２と、ハンドル本体２２に対し相対回動可能に設けられたシャフト２３と、回動操作により、シャフト２３を回動せしめるハンドルリング２４とを有している。ハンドル本体２２及びハンドルリング２４、並びに、ハンドルリング２４及びキャップ２５のそれぞれの境界部分には、それぞれがオーバーラップするように周壁部が設けられている。【選択図】          図４
2011143279.tif 000002
【特許請求の範囲】
【請求項１】
遊技機本体に固定される第１の固定部材と、
前記第１の固定部材に対し固設された第２の固定部材と、
前記第１及び第２の固定部材に対し相対回動可能に設けられた回動部材とを有するハンドルを備え、前記回動部材の回動操作量に応じて遊技媒体の飛翔力を調整しうる遊技機において、
前記第１の固定部材及び前記回動部材、並びに、前記回動部材及び前記第２の固定部材のそれぞれの境界部分には、前記第１の固定部材及び前記回動部材、並びに、前記回動部材と前記第２の固定部材がそれぞれ重なり合うように周壁部を設けたことを特徴とする遊技機。
【発明の詳細な説明】
【技術分野】
【０００１】
本発明は、パチンコ機等の遊技機に係り、特に、回動部材の回動操作量に応じて遊技球等の遊技媒体の飛翔力を調整しうるハンドルを備えた遊技機に関するものである。
【背景技術】
【０００２】
従来、遊技機の一種として、自動打球式のハンドルを備えたパチンコ機が知られている。この種のパチンコ機におけるハンドルは、パチンコ機本体下部に固定されるハンドル本体と、ハンドル本体に固定されたキャップと、ハンドル本体に対し相対回動可能に設けられたシャフトと、ハンドル本体及びキャップ間に設けられ、回動操作により、前記シャフトを回動せしめるハンドルリング（回動部材）とを有している。
【０００３】
そして、遊技者がハンドルリングを所定量回動させることにより、シャフトが回動し、このシャフトの回動に基づいて遊技球が発射される。この発射は回動操作状態が保持されている限り連続的に行われる（例えば１分間に１００回の割合で発射）。発射された遊技球は、内レール及び外レール間の通路を通って遊技盤面上部へと導かれる。そして、遊技者は、遊技球が落下する際に起こる種々の挙動（例えば入賞口への入賞や、始動入賞口に基づく可変表示装置の動作等）を堪能しうる。
【０００４】
また、ハンドルリングは、遊技球の飛翔力（発射速度）、ひいては遊技球の飛び具合をも調整しうる。すなわち、ハンドルリングの回動操作量を適宜調整することにより、シャフトの回動量が調整され、もって、遊技球の飛翔力、ひいては発射速度が調整されるのである。
【発明の概要】
【発明が解決しようとする課題】
【０００５】
ところが、前記のようなパチンコ機では、ハンドルリングを手放した場合には、バネの引張力によって、ハンドルリングは元の状態（非回動状態）へと戻されるようになっている。従って、遊技球を連続的に発射させようとすると、遊技者は、ハンドルリングの回動操作状態を保持しなければならない。このため、遊技が長時間に及んでしまうと、遊技者は、その時間分だけ一定の回動操作量にてハンドルリングを保持せねばならず、結果として著しい疲労感が伴ってしまう。
【０００６】
これに対し、ハンドルリングとハンドル本体との間、又は、ハンドルリングとキャップとの間に、マッチの断片や爪楊枝、或いはコインやカード等の異物を嵌め込むことが時として行われる。すなわち、比較的薄肉で、かつ、手近にある異物をハンドルリング及びハンドル本体間等に嵌め込むことで、隙間が埋められ、ハンドルリング及び異物間、並びに、ハンドル本体（又はキャップ）及び異物間に摩擦力が生ずる。そして、その摩擦力によって、ハンドルリングの所定回動操作状態での保持固定が可能となるのである。そのため、この場合には、遊技者は、ハンドルの一部分に手（又は指）を接触させるだけで、遊技球を連続的に発射させることが可能となる。
【０００７】
しかしながら、上記従来技術においては、嵌め込んだ異物が隙間からハンドル内部に入り込んでしまい、当該異物を取り出すことができなくなってしまうおそれがあった。また、内部に入り込んだ異物が原因で、タッチスイッチ等のハンドル内部に設けられた各種内部機構に電気的、機械的な支障（例えば接触不良、ショート等）を引き起こすおそれがあった。
【０００８】
本発明は、上述した問題に鑑みてなされたものであって、その目的は、回動部材の回動操作量に応じて遊技球等の遊技媒体の飛翔力を調整しうるハンドルを備えた遊技機において、ハンドル内部への異物の侵入を抑制することができ、もって異物の侵入による不具合を防止することの可能な遊技機を提供することにある。
【課題を解決するための手段】
【０００９】
上記の目的を達成するため、第１の発明においては、遊技機本体に固定される第１の固定部材と、前記第１の固定部材に対し固設された第２の固定部材と、前記第１及び第２の固定部材に対し相対回動可能に設けられた回動部材とを有するハンドルを備え、前記回動部材の回動操作量に応じて遊技媒体の飛翔力を調整しうる遊技機において、
前記第１の固定部材及び前記回動部材、並びに、前記回動部材及び前記第２の固定部材のそれぞれの境界部分には、前記第１の固定部材及び前記回動部材、並びに、前記回動部材と前記第２の固定部材がそれぞれ重なり合うように周壁部を設けたことをその要旨としている。
【００１０】
また、第２の発明では、前記回動部材は、少なくとも回動軸方向に所定量移動しうるものであり、該回動部材をどのように動作させても前記重なり合い状態が維持されるようにしたことをその要旨としている。
【００１１】
さらに、第３の発明では、前記回動部材は、少なくとも回動軸軸心方向に所定量移動しうるものであり、該回動部材をどのように動作させても前記重なり合い状態が維持されるようにしたことをその要旨としている。
【００１２】
併せて、第４の発明では、各境界部分における重なり合いプ部分は、複数層よりなり、断面ラビリンス構造をなしていることをその要旨としている。
【００１３】
（作用）
上記第１の発明によれば、ハンドルの回動部材の回動操作により、回動部材は遊技機本体に固定される第１及び第２の固定部材に対し相対回動される。そして、回動部材の回動操作量に応じて遊技媒体の飛翔力が調整される。
【００１４】
本発明では、第１の固定部材及び回動部材、並びに、回動部材及び第２の固定部材のそれぞれの境界部分には、周壁部が設けられており、これにより、第１の固定部材及び回動部材、並びに、回動部材と第２の固定部材がそれぞれ重なり合う。従って、第１の固定部材及び回動部材間、或いは、回動部材及び第２の固定部材間に異物を介在させたとしても、当該異物が内部に侵入しにくい。
【００１５】
また、第２の発明によれば、上記作用に加えて、前記回動部材は、少なくとも回動軸軸方向に所定量移動しうる。従って、回動部材を若干量移動させることで第１の固定部材及び回動部材間、或いは、回動部材及び第２の固定部材間に異物を介在させやすくなる。しかも、その回動部材を、どのように動作させても重なり合い状態が維持される。そのため、上記第１の発明の作用がより確実に奏される。
【００１６】
さらに、第３の発明によれば、上記作用に加えて、回動部材は、少なくとも回動軸軸心方向に所定量移動しうる。従って、ハンドルの組付作業がより容易に行われるとともに、上記第１，第２に記載の発明の作用がより確実に奏される。
【００１７】
併せて、第４の発明では、上記作用に加えて、各境界部分における重なり合い部分は、複数層よりなり、断面ラビリンス構造をなしている。このため、異物は、より一層内部に侵入しにくいものとなり、上記作用がより一層確実に奏される。
【発明の効果】
【００１８】
以上詳述したように、本発明の遊技機によれば、回動部材の回動操作量に応じて遊技球等の遊技媒体の飛翔力を調整しうるハンドルを備えた遊技機において、ハンドル内部への異物の侵入を抑制することができ、もって異物の侵入による不具合を防止することができるという優れた効果を奏する。
【図面の簡単な説明】
【００１９】
【図１】本発明を具体化した第１の実施の形態におけるパチンコ機を正面側から見た状態を示す斜視図である。
【図２】パチンコ機の正面図である。
【図３】パチンコ機を背面側から見た状態を示す斜視図である。
【図４】ハンドルを含む遊技球発射装置を背面側から見た分解斜視図である。
【図５】ハンドルを表側から見た状態を示す分解斜視図である。
【図６】ハンドルを裏側から見た状態を示す分解斜視図である。
【図７】ハンドルの断面図である。
【図８】本発明を具体化した第２の実施の形態におけるハンドルを示す断面図である。
【図９】本発明を具体化した第３の実施の形態におけるハンドルを示す断面図である。
【図１０】他の実施の形態におけるハンドルを示す断面図である。
【図１１】他の実施の形態におけるハンドルを示す部分断面図である。
【発明を実施するための形態】
【００２０】
（第１の実施の形態）
以下に、本発明における遊技機を、パチンコ機のそれに具体化した第１の実施の形態を、図面に基づいて詳細に説明する。図１は本実施の形態におけるパチンコ機の表側の外観を示す斜視図であり、図２はパチンコ機の正面図、図３はパチンコ機を裏側から見た状態を示す斜視図である。
【００２１】
図１に示すように、パチンコ機本体１は、外枠２及び前面枠３を備えており、その前面枠３の前面内周には、透明なガラス板が取着されてなるガラス扉枠４が開閉自在に設けられている。
【００２２】
図２に示すように、前記前面枠３の後面には、遊技盤５が着脱可能に装着されている。この遊技盤５の前面には、一般入賞口６、可変入賞装置７、始動入賞口８、可変表示装置９、内レール１０Ａ、外レール１０Ｂ等が配設されている。ここで、内レール１０Ａ及び外レール１０Ｂは、遊技球発射装置Ｕにより発射された遊技球Ｂを遊技盤５の上部に案内するためのガイド部材である。
【００２３】
また、一般入賞口６、可変入賞装置７、始動入賞口８に遊技球Ｂが入賞することにより、遊技者に対し、所定数の景品球が払い出されるようになっている。さらに、可変入賞装置７は、通常、遊技球Ｂが入賞できない状態又は入賞し難い状態になっている。より詳しくは、始動入賞口８に対し遊技球Ｂが入賞することに基づいて、遊技盤５の中央部に配設された可変表示装置９の図柄がランダムに変動する。そして、停止した図柄が特定の組み合わせであることを必要条件に、可変入賞装置７が所定時間、所定回数だけ開いて、遊技球Ｂが入賞しやすい状態になるよう構成されている。
【００２４】
図３に示すように、パチンコ機本体１の裏側には、機構盤１１が側部にて回動可能に装着されている。この機構盤１１には、前記一般入賞口６、可変入賞装置７、始動入賞口８に入賞した入賞球が導かれる図示しない入賞球集合部が設けられているほか、その上部において景品球タンク１２及び景品球タンクレール１３が設けられている。また、機構盤１１には、前記景品球タンクレール１３に接続されてなる景品球払出装置１４が設けられている。この景品球払出装置１４は、コントローラからの制御信号に基づいて、景品球を所定個数ずつ（例えば、一般入賞口６及び始動入賞口８に入賞した場合には５個ずつ、可変入賞装置７に入賞した場合には１５個ずつ）、図示しない供給通路を経てパチンコ機本体１表側の上受皿１５（場合によっては下受皿１６：図１参照）に払い出すようになっている。なお、図３中、符号１７は、前記コントローラを構成する電子制御回路基板等を収納してなる基板ボックスである。
【００２５】
さて、前記入賞球集合部の出口には、当該入賞球集合部に導かれた入賞球を一列に並んだ状態で下方へ流下させ、図示しない排出部へ１つずつ排出するための入賞球流路が設けられている。この入賞球流路の途中には、入賞球処理装置１８が設けられている。この入賞球処理装置１８は、前記一般入賞口６、可変入賞装置７、始動入賞口８に入賞した入賞球を１つずつ検出するとともに、検出後の入賞球を排出部へと導出するための装置である。
【００２６】
さらに、パチンコ機本体１の下部には遊技球発射装置Ｕが設けられており、該発射装置Ｕは、遊技者によって操作されるハンドル２１を備えている。図４に示すように、ハンドル２１は、パチンコ機本体１の下部に固定される第１の固定部材としてのハンドル本体２２と、ハンドル本体２２に対し相対回動可能に設けられたシャフト２３と、回動操作により、前記シャフト２３を回動せしめる回動部材としてのハンドルリング２４と、前記ハンドル本体２２に固定された第２の固定部材としてのキャップ２５とを有している。ハンドル本体２２及びキャップ２５は、ＡＢＳ等の樹脂材料により、シャフト２３は導電性を有する金属によりそれぞれ構成されている。また、ハンドルリング２４は、樹脂材料に導電性金属によるめっきが施されることにより構成されており、前記ハンドル本体２２及びキャップ２５間に設けられている。そして、遊技者がハンドルリング２４を所定量回動させることにより、シャフト２３が回動し、このシャフト２３の回動に基づいて遊技球Ｂが発射される。この発射は回動操作状態が保持されている限り、例えば０．６秒に１回の割合で連続的に行われる。発射された遊技球Ｂは、前述した内レール１０Ａ及び外レール１０Ｂ間の通路を通って遊技盤５の上部へと導かれる。そして、遊技者は、遊技球Ｂが落下する際に起こる種々の挙動（例えば一般入賞口６への入賞や、始動入賞口８に基づく可変表示装置９の動作や、可変入賞装置７への入賞等）を堪能しうる。
【００２７】
ここで、遊技球発射装置Ｕの動作について簡単に説明する。図４に示すように、遊技球発射装置Ｕは、前記ハンドル２１に加えて、ハンドル２１のシャフト２３に連結されたプーリ３１、該プーリ３１に懸架されてなるワイヤ３２、バネ３３、該バネ３３の一端が連結され、回動可能に軸支された発射槌３４、発射モータ３５、及び発射カム３６等を備えている。発射モータ３５は、遊技者がハンドル２１のハンドルリング２４に触れていることを必要条件に１分間に１００回の割合で回転し、発射カム３６はその回転に基づいて回転する。そして、発射カム３６の先端部分が発射槌３４の接点を、バネ３３の引張力に抗して押し下げ、その後発射カム３６の先端が前記接点から外れることにより、発射槌３４がバネ３３の復元力により元の状態に戻る。このときの勢いでもって、遊技球Ｂが発射されるのである。
【００２８】
一方、ハンドル２１のシャフト２３が回動されると、プーリ３１も回動し、ワイヤ３２が引っ張られる。これに基づきバネ３３が引っ張られて延びる。すなわち、ハンドルリング２４の回動量を調整することで、バネ３３の延び量が調整され、引張力（復元力）が調整される。この調整により、発射槌３４が遊技球Ｂに当たる速度、ひいては遊技球Ｂの飛翔力が調整されるのである。
【００２９】
次に、本実施の形態の特徴的部分であるハンドル２１の構成について詳述する。図５は、ハンドル２１を表側から見た状態を示す分解斜視図であり、図６はハンドル２１を裏側から見た状態を示す分解斜視図である。これらの図に示すように、ハンドル本体２２の中央には、挿通孔４１が形成され、該挿通孔４１にシャフト２３が挿通されている。シャフト２３の両端部は、断面略Ｄ字状に切欠形成されており、表側部分（図５の左側部分）がハンドルリング２４に形成された略Ｄ字状をなす嵌合孔４２に嵌め込まれ、かつ、そこから一部が表側に突出した状態となっている。かかるシャフト２３の嵌合孔４２から突出した部分には環状溝４３が形成され、該環状溝４３に図示しないＥリングが嵌め込まれている。
【００３０】
ハンドル本体２２の挿通孔４１の周囲には、複数のボス状の取付孔４４が形成され、そこに取付プレート４５及びキャップ２５が取付固定されている。本実施の形態において、キャップ２５は、フェイスカバー４６及びエンブレム４７によって構成されている。より詳しくは、取付プレート４５には、前記取付孔４４に対応するようにして、ねじ孔を有するボス４８が突出形成され、該ボス４８が前記取付孔４４に嵌め込まれた状態でねじ止め固定されている。
【００３１】
また、前記ボス４８とは異なる位置において、取付プレート４５には複数（３つ）の孔４９が形成されている。さらに、前記フェイスカバー４６には、裏側（図６の左側）に突出する複数（３つ）のねじ穴を有するボス５１が一体形成されている。併せて、エンブレム４７の筒状部には前記ボス５１に対応する溝部５２が形成されている。そして、フェイスカバー４６のボス５１が前記溝部５２に嵌まるようにして、エンブレム４７がフェイスカバー４６に嵌め込まれている。また、フェイスカバー４６の３つのボス５１が前記取付プレート４５の孔４９に嵌め込まれた状態で、孔４９の裏面側から、各ボス５１のねじ穴に対し、ねじが螺着固定されている。これにより、ハンドル本体２２と、取付プレート４５と、フェイスカバー４６及びエンブレム４７（キャップ２５）とが固定状態となっている。また、これら固定状態にあるハンドル本体２２と、取付プレート４５、フェイスカバー４６及びエンブレム４７との間で、ハンドルリング２４がシャフト２３とともに、回動可能となっている。なお、ハンドルリング２４には、円弧状の長孔５３が形成されており、当該長孔５３の存在により、ハンドルリング２４の回動が阻害されないようになっている。
【００３２】
また、ハンドル本体２２及びハンドルリング２４間において、シャフト２３の周囲には、導電性金属よりなるコイルスプリング５４が設けられている。このコイルスプリング５４の存在により、ハンドルリング２４及びシャフト２３は、常には定常位置にて維持されるようになっている（回動量ゼロの基本位置状態）。
【００３３】
さらに、ハンドル本体２２及びハンドルリング２４間において、前記コイルスプリング５４の裏側には、接触プレート５５、ストップボタン５６、マイクロスイッチ５７等が配設されている。金属製の接触プレート５５は、中央の挿通孔において前記シャフト２３に挿通された状態でハンドル本体２２に固定され、かつ、前記コイルスプリング５４の端部に接触した状態となっている。本実施の形態では、上述したように、ハンドルリング２４が遊技者の手（又は指）によって触れられていないと、遊技球Ｂの発射が許容されない構成となっている。つまり、ハンドルリング２４、シャフト２３、コイルスプリング５４及び接触プレート５５間が電気的に導通可能な状態となっており、遊技者の手等がハンドルリング２４に触れることにより、上記電気的導通が確保され、これにより、遊技球Ｂの発射が許容される構成となっている。
【００３４】
マイクロスイッチ５７は、スイッチ本体５８及び舌片状の接点５９を備えており、該接点５９がスイッチ本体５８に設けられた他の接点と接触することによりオン状態となり、遊技球Ｂの発射を停止させる旨の信号を出力するようになっている。ストップボタン５６は、操作部６１、押圧部６２及び爪６３を備えており、軸孔６４において回動可能に軸支されている。操作部６１はハンドル本体２２の切り欠き部から外部に露出しているとともに、爪６３は前記接触プレート５５の孔６５に挿通され、ハンドルリング２４の裏側の突起２４ａに接触可能となっている。
【００３５】
これにより、常には（ハンドルリング２４の非回動状態においては）、ストップボタン５６の爪６３が前記突起２４ａによって押され、マイクロスイッチ５７の接点５９が押圧部６２により押されるようになっている。従って、この場合マイクロスイッチ５７がオン状態となり、遊技球Ｂの発射が禁止される。また、遊技者により、ハンドルリング２４が回動操作された場合には、前記突起２４ａが爪６３から離間することとなり、接点５９のスイッチ本体５８側への接触が解除される。従って、この場合マイクロスイッチ５７がオフ状態となり、遊技球Ｂの発射が許容される。さらには、ハンドルリング２４の回動操作中において、ストップボタン５６の操作部６１が遊技者によって押された場合には、押圧部６２が前記接点５９を押すこととなり、この場合にもマイクロスイッチ５７がオン状態となり、遊技球Ｂの発射が禁止されるようになっている。
【００３６】
なお、本実施の形態において、コイルスプリング５４及びハンドルリング２４間におけるシャフト２３の外周には図示しないワッシャが介設されているとともに、接触プレート５５及びハンドル本体２２間におけるシャフト２３の外周にはカラー６６が介設されている。これらワッシャ及びカラー６６の存在により、シャフト２３の回動が円滑に行われるようになっている。
【００３７】
さて、本実施の形態では、ハンドル本体２２及び取付プレート４５（フェイスカバー４６）間において、ハンドルリング２４は、回動軸方向に所定量（微小量）移動可能に配設されている。また、これとともに、ハンドルリング２４及びシャフト２３間にも所定量（ごく微小量）の隙間が形成されており、ハンドルリング２４は、シャフト２３に対し、若干の傾動（回動軸軸心方向への移動に該当）が行えるようになっている。
【００３８】
さらに、本実施の形態では、図７に示すように、前記ハンドルリング２４のハンドル本体２２側部分（図の右側部分）には、第１の裏側周壁部７１及び第２の裏側周壁部７２が形成されており、第１の裏側周壁部７１及び第２の裏側周壁部７２間は溝状の裏側収容部７３となっている。これに対し、ハンドル本体２２のハンドルリング２４側部分には周壁部７４が形成されており、該周壁部７４が、前記裏側収容部７３に収容された状態となっている。周壁部７４は、ハンドルリング２４をどのように動かそうとも、裏側収容部７３から外れることがないようになっている（十分の幅だけ、裏側収容部７３に入り込んでいる）。なお、これら周壁部７１，７２，７４は、ほぼ全周にわたり設けられている。
【００３９】
併せて、前記ハンドルリング２４のキャップ２５（フェイスカバー４６）側部分（図の左側部分）には、第１の表側周壁部７５及び第２の表側周壁部７６が形成されており、第１の表側周壁部７５及び第２の表側周壁部７６間は溝状の表側収容部７７となっている。これに対し、フェイスカバー４６のハンドルリング２４側部分には周壁部７８が形成されており、該周壁部７８が、前記表側収容部７７に収容された状態となっている。周壁部７８についても、上記同様ハンドルリング２４をどのように動かそうとも、表側収容部７７から外れることがないようになっている（十分の幅だけ、表側収容部７７に入り込んでいる）。なお、これら周壁部７５，７６，７８も、ほぼ全周にわたり設けられている。
【００４０】
次に、上記のように構成されてなる本実施の形態の作用及び効果について説明する。
【００４１】
遊技者が、パチンコ遊技を楽しむ場合、まず、ハンドル２１のハンドルリング２４を回動させる操作を行う。この回動操作に伴い、シャフト２３が回動され、それに基づいて、遊技球Ｂが発射される。また、ハンドルリング２４の回動操作量、ひいてはシャフト２３の回動量を適宜調整することにより、遊技球Ｂの発射速度が調整され、これにより、遊技球Ｂの飛び具合を調整することができる。
【００４２】
さらに、所定の調整位置にて、ハンドルリング２４の回動操作状態を保持したい場合がある。この場合には、遊技者は、その回動操作状態にて、フェイスカバー４６及びハンドルリング２４間、或いは、ハンドルリング２４及びハンドル本体２２間に異物（マッチや爪楊枝の一部分や、プリペイドカードや、コイン等）を介在させることがある。本実施の形態では、フェイスカバー４６及びハンドルリング２４の境界部分、及び、ハンドルリング２４及びハンドル本体２２の境界部分には、それぞれ周壁部７５，７６，７８、７１，７２，７３を設けることとした。そして、これにより、第１の表側周壁部７５及び第２の表側周壁部７６と、周壁部７８とがオーバーラップするとともに、第１の裏側周壁部７１及び第２の裏側周壁部７２と、周壁部７４とがオーバーラップする。従って、フェイスカバー４６及びハンドルリング２４間、或いは、ハンドルリング２４及びハンドル本体２２間に異物を介在させたとしても、当該異物が内部に侵入しにくい。その結果、ハンドル２１内部への異物の侵入を抑制することができ、もって異物の侵入による不具合を防止することができる。
【００４３】
特に、本実施の形態では、ハンドルリング２４は、軸方向及び傾動方向にそれぞれ所定量移動可能に配設されているが、かかるハンドルリング２４をどのように動作させても、第１の表側周壁部７５及び第２の表側周壁部７６と、周壁部７８とのオーバーラップ状態、並びに、第１の裏側周壁部７１及び第２の裏側周壁部７２と、周壁部７４とのオーバーラップ状態が常に維持される。そのため、上記作用効果がより確実に奏される。
【００４４】
しかも、ハンドルリング２４が軸方向及び傾動方向にそれぞれ所定量移動可能となっていることから、遊技者が異物を介在させるという行為をより容易に行うことができる。また、組付を容易に行うことができ、組付時における作業性の向上が図られる。
【００４５】
併せて、本実施の形態では、各境界部分におけるオーバーラップ部分は、複数層よりなり、断面ラビリンス構造をなしている。このため、異物は、より一層内部に侵入しにくいものとなり、上記作用効果がより一層確実に奏されることとなる。
【００４６】
（第２の実施の形態）
次に、本発明を具体化した第２の実施の形態について説明する。但し、本実施の形態において、上記第１の実施の形態と同等、或いは重複する部材、部分については、同一の符号を用いて説明を省略する。そして、以下には、第１の実施の形態との相違点を中心に説明することとする。
【００４７】
上記第１の実施の形態では、ハンドルリング２４を、樹脂材料に導電性金属によるめっきを施すことにより構成し、遊技者が該ハンドルリング２４に触れることにより、電気的導通を確保することとしていた。これに対し、本実施の形態では、ハンドルリング２４のめっきを省略し、代わりに、図８に示すように、表面にめっきの施されてなる取付プレート８０を用い、表面に導電性を付与している点に特徴を有している。すなわち、本実施の形態では、キャップ２５（フェイスカバー４６及びエンブレム４７）並びに取付プレート８０により第２の固定部材が構成され、取付プレート８０の一部の外周部が外部に露出した構成となっている。
【００４８】
そして、ハンドルリング２４に形成された第１の表側周壁部７５及び第２の表側周壁部７６間の表側収容部７７に取付プレート８０の周壁部８１が収容されている。
【００４９】
このように構成することによっても、上記第１の実施の形態と同等の作用効果を奏せしめることができる。
【００５０】
（第３の実施の形態）
次に、本発明を具体化した第３の実施の形態について説明する。但し、本実施の形態においても、上記実施の形態との相違点を中心に説明することとする。
【００５１】
上記第２の実施の形態では、取付プレート８０を、樹脂材料に導電性金属によるめっきを施すことにより構成し、遊技者が該取付プレート８０に触れることにより、電気的導通を確保することとしていた。これに対し、本実施の形態では、代わりに、図９に示すように、表面にめっきの施されてなる接触プレート８２を用い、表面に導電性を付与せしめ、それを外部に露出させている点に特徴を有している。すなわち、本実施の形態では、ハンドル本体２２及び接触プレート８２により第１の固定部材が構成され、接触プレート８２の一部の外周部が外部に露出した構成となっている。
【００５２】
そして、ハンドルリング２４に形成された第１の裏側周壁部７１及び第２の裏側周壁部７２間の裏側収容部７３に接触プレート８２の周壁部８３が収容されている。このような構成によっても、上記第１、第２の実施の形態と同等の作用効果を奏せしめることができる。
【００５３】
尚、本発明は上述した実施の形態の記載内容に限定されるものではなく、従って、発明の趣旨を逸脱しない範囲で、例えば次のように実施してもよい。
【００５４】
（ａ）上記実施の形態では、ハンドルリング２４に対しシャフト２３を固定させて、ハンドルリング２４の回動に合わせてシャフト２３も回動させ、該シャフト２３の回動量に応じてバネ３３の復元力を調整することとした。これに対し、シャフト２３を省略する代わりに、図１０に示すような可変抵抗器８９を用いることとしてもよい（図は第３の実施の形態の応用例：もちろん第１、第２の実施の形態についても同様に応用可能）。つまり、ハンドルリング２４の回動量に応じて抵抗値が変動する可変抵抗器８９を用い、抵抗値に応じて遊技球Ｂの飛翔力を調整するタイプのパチンコ機にも具体化することができる。
【００５５】
（ｂ）上記実施の形態では、ハンドルリング２４の第１の表側周壁部７５及び第１の裏側周壁部７１を、ハンドル本体２２やフェイスカバー４６（或いは取り付プレート８０や接触プレート８２）よりも外周側に位置させることとしていた。これに対し、図１１に示すように、ハンドルリング２４の第１の表側周壁部７５及び第１の裏側周壁部７１を、ハンドル本体２２やフェイスカバー４６に対し内周側に位置することとしてもよい。
【００５６】
また、同図に示すように、ハンドル本体２２に２つの周壁部９１，９２を設けるようにしてもよいし、キャップ２５（フェイスカバー４６）に２つの周壁部９３，９４を設けるようにしてもよい。かかる構成により、上記ラビリンス構造をより複雑なものとすることができ、より一層の異物の侵入を抑制することができる。また、さらに多層のラビリンス構造を有するようなハンドルとしてもよい。  （ｃ）上記実施の形態では、キャップ２５を、フェイスカバー４６及びエンブレム４７により構成したが、これらを一体化したものによりキャップを構成してもよい。
【００５７】
（ｄ）上記実施の形態では、ハンドルリング２４の幅をいずれの部位においてもほぼ一定としたが、部分的に幅が変更されてなる形状を有するハンドルリングを用いてもよい。
【００５８】
（ｅ）上記実施の形態における取付プレート４５、ストップボタン５６、マイクロスイッチ５７等を適宜省略することもできる。
【００５９】
（ｆ）本発明は、上記実施の形態とは異なるタイプの（第１種始動口付パチンコ機以外の）パチンコ機にも適用できる。従って、例えば第２種、第３種パチンコ機にも応用できる。また、本発明は、パチンコ機以外にも、他の雀球、アレンジボール、スマートボール等の遊技機にも応用可能である。また、遊技媒体としては、遊技球Ｂ（パチンコ球）以外にも、他のボールや、円盤状体等を用いてもよい。
【符号の説明】
【００６０】
１…パチンコ機本体、５…遊技盤、２１…ハンドル、２２…ハンドル本体、２３…シャフト、２４…ハンドルリング、２５…キャップ、４５…取付プレート、４６…フェイスカバー、５４…コイルスプリング、７１…第１の裏側周壁部、７２…第２の裏側周壁部、７３…裏側収容部、７４…周壁部、７５…第１の表側周壁部、７６…第２の表側周壁部、７７…表側収容部、７８…周壁部、８０…取付プレート、８１…周壁部、８２…接触プレート、８３…周壁部、９１，９２，９３，９４…周壁部、Ｕ…遊技球発射装置、Ｂ…遊技球。
【図１】
2011143279.tif 000003
【図２】
2011143279.tif 000004
【図３】
2011143279.tif 000005
【図４】
2011143279.tif 000006
【図５】
2011143279.tif 000007
【図６】
2011143279.tif 000008
【図７】
2011143279.tif 000009
【図８】
2011143279.tif 000010
【図９】
2011143279.tif 000011
【図１０】
2011143279.tif 000012
【図１１】
2011143279.tif 000013